(57)【特許請求の範囲】
【請求項１】
多重アンテナ（ＭＩＭＯ）無線通信システムにおける端末において、資源をアップリンク信号に割り当てる方法であって、
第１ビットサイズを有するインタリーバ入力ベクトルシーケンスを、インタリーバ行列に行ごとに書き込むステップと、
前記インタリーバ行列を列ごとに読み出すことによって、出力ビットシーケンスを生成するステップと、
第２ビットサイズ単位で前記出力ビットシーケンスを変調することによって、複素変調シンボルを生成するステップと、
少なくとも２レイヤを順に前記複素変調シンボルに割り当てるステップと、を有し、
前記第１ビットサイズは、
（式１）
Ｌ・ｌｏｇ２Ｑ （Ｌはレイヤ数、Ｑは変調次数）
によって定義され、
前記第２ビットサイズはｌｏｇ２Ｑで定義される方法。
【請求項２】
変調シンボル数がレイヤ当たりＨで与えられ、前記インタリーバ行列の列数がＣで与えられるとき、前記インタリーバ行列の行数Ｒは次の式２で定義される、請求項１に記載の方法。
（式２）
【数１】
0005255128.tif 000021
（Ｌはレイヤ数、Ｑは変調次数）
【請求項３】
前記インタリーバ行列の列数は、サブフレーム当たり送信データシンボル数（Ｎｓｙｍｂ）である、請求項２に記載の方法。
【請求項４】
前記インタリーバ行列は、次の式３によって表される、請求項２に記載の方法。
（式３）
【数２】
0005255128.tif 000022
（ここで、
【数３】
0005255128.tif 000023
及びｇｋは前記インタリーバ入力ベクトルシーケンスである）
【請求項５】
前記インタリーバ入力ベクトルシーケンスｇｋは、次の式４によって定義される請求項４に記載の方法。
（式４）
【数４】
0005255128.tif 000024
（ここでｑｊは符号化ビットを表す）
【請求項６】
多重アンテナ（ＭＩＭＯ）無線通信システムの端末装置であって、
第１ビットサイズを有するインタリーバ入力ベクトルシーケンスを、インタリーバ行列に行ごとに書き込み、前記インタリーバ行列を列ごとに読み出すことによって、出力ビットシーケンスを生成し、第２ビットサイズ単位で前記出力ビットシーケンスを変調することによって、複素変調シンボルを生成し、少なくとも２レイヤを順に前記複素変調シンボルに割り当てるように構成されたプロセッサと、
前記少なくとも２レイヤを用いて前記複素変調シンボルを送信するように構成された送信モジュールと、を備え、
前記第１ビットサイズは、
（式１）
Ｌ・ｌｏｇ２Ｑ （Ｌはレイヤ数、Ｑは変調次数）
によって定義され、
前記第２ビットサイズはｌｏｇ２Ｑで定義される端末装置。
【請求項７】
変調シンボル数がレイヤ当たりＨで与えられ、前記インタリーバ行列の列数がＣで与えられるとき、前記インタリーバ行列の行数Ｒは次の式２で定義される、請求項６に記載の端末装置。
（式２）
【数５】
0005255128.tif 000025
（Ｌはレイヤ数、Ｑは変調次数）
【請求項８】
前記インタリーバ行列の列数は、サブフレーム当たり送信データシンボル数（Ｎｓｙｍｂ）である、請求項７に記載の端末装置。
【請求項９】
前記インタリーバ行列は、次の式３によって表される、請求項７に記載の端末装置。
（式３）
【数６】
0005255128.tif 000026
（ここで、
【数７】
0005255128.tif 000027
及びｇｋは前記インタリーバ入力ベクトルシーケンスである）
【請求項１０】
前記インタリーバ入力ベクトルシーケンスｇｋは、次の式４によって定義される請求項９に記載の方法。
（式４）
【数８】
0005255128.tif 000028
（ここでｑｊは符号化ビットを表す）
【発明の詳細な説明】
【技術分野】
【０００１】
本発明は、無線通信システムに関するもので、より詳細には、多重アンテナ無線通信システムにおいて信号を送信するための資源を割り当てる方法及びその装置に関するものである。
【背景技術】
【０００２】
多入力多出力（ＭＩＭＯ）は、複数の送信アンテナ及び複数の受信アンテナを使用する方法であって、この方法によってデータの送受信効率を向上させることができる。すなわち、無線通信システムの送信器又は受信器において複数のアンテナを使用することによって、容量を増大させ、性能を向上させることができる。以下、本文献では、ＭＩＭＯを「多重アンテナ」と呼ぶこともある。
【０００３】
多重アンテナ技法においては、一つのメッセージ全体を受信するために単一のアンテナ経路を使用しない。その代わりに、多重アンテナ技法においては、いくつかのアンテナで受信されたデータフラグメントを集めて結合することによってデータを完成する。多重アンテナ技法を使用したときは、特定の大きさのセル領域内におけるデータ伝送速度を向上させたり、特定データ伝送速度を保証しながらシステムカバレッジを増加させたりすることができる。また、この技法は、移動体通信端末及び中継器などに幅広く使用することができる。多重アンテナ技法によると、単一アンテナを使用していた従来技術による移動体通信の伝送量の限界を克服することができる。
【０００４】
一般的な多重アンテナ（ＭＩＭＯ）通信システムの構成図が図１に示されている。送信器には送信アンテナがＮT個設置されており、受信器には受信アンテナがＮR個設置されている。このように送信器及び受信器双方で複数のアンテナを使用する場合は、送信器又は受信器のうちいずれか一つだけに複数のアンテナを使用する場合に比べて理論的なチャネル伝送容量が増加する。チャネル伝送容量の増加はアンテナの数に比例する。したがって、伝送速度が向上し、周波数効率が向上する。一つのアンテナを用いる場合の最大伝送速度をＲoとした場合、多重アンテナを使用したときの伝送速度は、理論的に、上記Ｒoに速度増加率Ｒiを乗じた分だけ増加させることができる。ここで、Ｒiは、ＮT及びＮRのうち小さい値である。
【０００５】
例えば、４個の送信アンテナ及び４個の受信アンテナを用いるＭＩＭＯ通信システムにおいては、単一アンテナシステムに比べて理論的に４倍の伝送速度を得することができる。このような多重アンテナシステムの理論的容量増加が９０年代中盤に証明されて以来、実質的にデータ伝送速度を向上させるための多様な技術が現在まで活発に研究されており、これらのうちいくつかの技術は、既に３世代移動体通信及び次世代無線ＬＡＮなどの多様な無線通信の標準に反映されている。
【０００６】
多重アンテナ技法は、多様なチャネル経路を通過した同一のシンボルを用いて伝送信頼度を高める空間ダイバーシチ方式と、複数の送信アンテナを用いて複数の別個のデータシンボルを同時に送信して伝送速度を向上させる空間多重化方式とに分けることができる。また、このような二つの方式を適宜結合し、それぞれの長所を得ることができる。
【０００７】
多重アンテナ技法と関連して、多様なチャネル環境及び多元接続環境における多重アンテナ通信容量計算と関連した情報理論、多重アンテナシステムの無線チャネル測定及びモデル導出、並びに伝送信頼度向上及び伝送速度向上のための時空間信号処理技術などの多様な研究が活発に進められている。
【発明の概要】
【発明が解決しようとする課題】
【０００８】
上述したような論議に基づいて、以下、多重アンテナ無線通信システムにおいてアップリンク信号を送信するための資源を割り当てる方法及びその装置を提案する。
【課題を解決するための手段】
【０００９】
本発明の目的は、多重アンテナ無線通信システムにおける端末がアップリンク信号を送信するための資源を割り当てる方法によって達成することができる。この方法は、第１の伝送ブロックに第１の単一搬送波周波数分割多元接続（ＳＣ―ＦＤＭＡ）シンボルに対応する複数の空間資源のうち、１又は複数の空間資源を割り当てるステップと、第２の伝送ブロックに上記第１のＳＣ―ＦＤＭＡシンボルに対応する上記複数の空間資源のうち、１又は複数の他の空間資源を割り当てるステップと、上記第１の伝送ブロック及び上記第２の伝送ブロックに第２のＳＣ―ＦＤＭＡシンボルに対応する各空間資源を割り当てるステップと、を含む。
【００１０】
ここで、上記１又は複数の空間資源は第１の空間資源及び第２の空間資源を含んでもよく、上記１又は複数の他の空間資源は第３の空間資源及び第４の空間資源を含んでもよい。
【００１１】
上記複数の空間資源のうち、１又は複数の空間資源を割り当てるステップは、上記第１の伝送ブロックに、上記第１の空間資源に含まれた第１の周波数資源と、上記第２の空間資源に含まれた第１の周波数資源とを割り当てるステップを含んでもよく、複数の空間資源のうち、１又は複数の他の空間資源を割り当てるステップは、上記第２の伝送ブロックに、上記第３の空間資源に含まれた第１の周波数資源と、上記第４の空間資源に含まれた第１の周波数資源とを割り当てるステップを含んでもよい。
【００１２】
特定単位のサブフレームに含まれた上記第１の周波数資源をすべて割り当てた場合、上記第１の空間資源及び第２の空間資源を割り当てるステップは、上記第１の伝送ブロックに、上記第１の空間資源に含まれた第２の周波数資源と、上記第２の空間資源に含まれた第２の周波数資源とを割り当てるステップを含んでもよく、上記第３の空間資源及び第４の空間資源を割り当てるステップは、上記第２の伝送ブロックに、上記第３の空間資源に含まれた第２の周波数資源と、上記第４の空間資源に含まれた第２の周波数資源とを割り当てるステップを含んでもよい。
【００１３】
上記第１の伝送ブロック及び上記第２の伝送ブロックに割り当てられる空間資源を、ＳＣ―ＦＤＭＡシンボル数が増加するに従って、所定個数の空間資源単位で遷移してもよい。上記所定個数の空間資源単位は、１レイヤ単位であってもよいし、２レイヤ単位であってよい。
【００１４】
本発明の別の態様においては、多重アンテナ無線通信システムの端末装置が提供される。この端末装置は、第１の伝送ブロックに第１のＳＣ―ＦＤＭＡシンボルに対応する複数の空間資源のうち、１又は複数の空間資源を割り当て、第２の伝送ブロックに上記第１のＳＣ―ＦＤＭＡシンボルに対応する上記複数の空間資源のうち、１又は複数の他の空間資源を割り当てた後、上記第１の伝送ブロック及び上記第２の伝送ブロックに第２のＳＣ―ＦＤＭＡシンボルに対応する各空間資源を割り当てるプロセッサと、上記割り当てられた各資源を用いて上記第１の伝送ブロック及び上記第２の伝送ブロックを上記多重アンテナを介して送信する送信モジュールと、を含む。
【００１５】
ここで、上記１又は複数の空間資源は第１の空間資源及び第２の空間資源を含んでもよく、上記１又は複数の他の空間資源は第３の空間資源及び第４の空間資源を含んでもよい。
【００１６】
上記プロセッサは、上記第１の伝送ブロックに上記第１の空間資源と上記第２の空間資源を割り当てる場合、上記第１の伝送ブロックに、上記第１の空間資源に含まれた第１の周波数資源と、上記第２の空間資源に含まれた第１の周波数資源とを割り当て、上記第２の伝送ブロックに上記第３の空間資源及び第４の空間資源を割り当てる場合、上記第２の伝送ブロックに、上記第３の空間資源に含まれた第１の周波数資源と、上記第４の空間資源に含まれた第１の周波数資源とを割り当ててもよい。
【００１７】
特定単位のサブフレームに含まれた上記第１の周波数資源をすべて割り当てた場合、上記プロセッサは、上記第１の伝送ブロックに上記第１の空間資源及び上記第２の空間資源を割り当てるときは、上記第１の伝送ブロックに、上記第１の空間資源に含まれた第２の周波数資源と、上記第２の空間資源に含まれた第２の周波数資源とを割り当て、上記第２の伝送ブロックに上記第３の空間資源及び第４の空間資源を割り当てるときは、上記第２の伝送ブロックに、上記第３の空間資源に含まれた第２の周波数資源と、上記第４の空間資源に含まれた第２の周波数資源とを割り当ててもよい。
【００１８】
上記プロセッサは、上記第１の伝送ブロック及び上記第２の伝送ブロックに割り当てられる空間資源をＳＣ―ＦＤＭＡシンボル数が増加するに従って、所定個数の空間資源単位で遷移してもよい。プロセッサは、上記遷移を１レイヤ単位又は２レイヤ単位で行ってもよい。
【発明の効果】
【００１９】
本発明の実施例によると、多重アンテナ無線通信システムにおいて、端末が基地局に信号を効果的に送信することができる。
【００２０】
本発明で得られる効果は以上言及した各効果に制限されず、言及していない他の効果は、下記の記載から本発明の属する技術分野で通常の知識を有する者には明確に理解されるであろう。
【図面の簡単な説明】
【００２１】
【図１】一般的な多重アンテナ（ＭＩＭＯ）通信システムの構成図である。
【図２】ＬＴＥシステムで使用される無線フレームの構造を例示する図である。
【図３】ＬＴＥシステムで使用されるアップリンクサブフレームの構造を示す図である。
【図４】アップリンクで送信されるデータと制御情報との多重化処理を説明するための図である。
【図５】符号化された符号ブロックの情報部分とパリティ部分とを分離してレートマッチングを行う方法を示すフローチャートである。
【図６】一般的な無線通信システムにおいて、端末がアップリンク信号を伝送するための信号処理手続を説明するための図である。
【図７】多重アンテナ無線通信システムにおいて、データをアップリンク信号として伝送するための符号語、レイヤ及びアンテナのマッピング関係を説明するための図である。
【図８】符号語をレイヤにマッピングする多様な方法を説明する図である。
【図９】送信アンテナが２個で、単一符号語方式である場合、本発明の実施例に係るアップリンク信号のための資源割当て方法を例示する図である。
【図１０】送信アンテナが２個で、多重符号語方式である場合、本発明の実施例に係るアップリンク信号のための資源割当て方法を例示する図である。
【図１１】送信アンテナが２個で、多重符号語方式である場合、本発明の実施例に係るアップリンク信号のための資源割当て方法を例示する他の図である。
【図１２Ａ】送信アンテナが４個で、単一符号語方式である場合、本発明の実施例に係るアップリンク信号のための資源割当て方法を例示する図である。
【図１２Ｂ】送信アンテナが４個で、単一符号語方式である場合、本発明の実施例に係るアップリンク信号のための資源割当て方法を例示する図である。
【図１３】送信アンテナが４個で、多重符号語方式である場合、本発明の実施例に係るアップリンク信号のための資源割当て方法を例示する図である。
【図１４】２個の伝送ブロックがそれぞれ３個の符号ブロックに分割されて符号化された後、ランク４で伝送される場合、本発明の実施例に係る資源割当て方法を例示する図である。
【図１５】２個の伝送ブロックがそれぞれ３個の符号ブロックに分割されて符号化された後、ランク４で伝送される場合の他の資源割当て方法を例示する図である。
【図１６】多数の送受信アンテナを使用するシステムのデータ処理の概念図である。
【図１７】本発明の実施例によって多重アンテナシステムにおいてアップリンクでデータストリームを送信するための空間的配置を具現した例示図である。
【図１８】本発明の一実施例に係る端末装置の構成図である。
【発明を実施するための形態】
【００２２】
以下、本発明に係る好適な実施形態を添付の図面を参照して詳細に説明する。添付の図面と共に以下に開示する詳細な説明は、本発明の例示的な実施形態を説明するためのものであって、本発明が実施される唯一の実施形態を示すためのものではない。以下の詳細な説明は、本発明の完全な理解を促進するために具体的な詳細事項を含む。しかし、当業者は、本発明がこのような具体的な詳細事項がなくても実施され得ることを理解するであろう。例えば、以下、移動体通信システムが第３世代パートナシッププロジェクト長期進化（３ＧＰＰ  ＬＴＥ）システムである場合を仮定して具体的に説明するが、３ＧＰＰ  ＬＴＥに特有の事項を除いては他の任意の移動体通信システムにも適用可能である。
【００２３】
いくつかの場合、本発明の概念が曖昧になることを避けるために、公知の構造及び装置を省略したり、各構造及び装置の核心機能を中心にしたブロック図の形式で図示したりする場合がある。また、本明細書全体にわたって同一の構成要素については、同一の図面符号を使用して説明する。
【００２４】
以下の説明において、端末は、ユーザ装置（ＵＥ）、移動機（ＭＳ）などの移動又は固定型のユーザ端機器を総称するものと仮定する。また、基地局は、ノードＢ、強化ノードＢ（ｅＮｏｄｅ  Ｂ）などの端末と通信するネットワーク端の任意のノードを総称するものと仮定する。また、本発明において、伝送ブロックと符号語とを同一の意味で使用することに注意されたい。
【００２５】
図２は、ＬＴＥシステムで使用される無線フレームの構造を例示する図である。
【００２６】
図２を参照すると、無線フレームは、１０ｍｓ（３２７２００・Ｔs）の長さを有し、１０個の均等なサイズのサブフレームで構成されている。各サブフレームは、１ｍｓの長さを有し、２個のスロットで構成されている。各スロットは、０．５ｍｓ（１５３６０・Ｔs）の長さを有する。ここで、Ｔsは、サンプリング時間を示し、Ｔｓ＝１／（１５ｋＨｚ×２０４８）＝３．２５５２×１０8（約３３ｎｓ）で表される。スロットは、時間領域において複数の直交周波数分割多重化（ＯＦＤＭ）シンボルを含み、周波数領域において複数の資源ブロック（ＲＢ）を含む。ＬＴＥシステムにおいては、一つの資源ブロックは１２個の副搬送波×７（６）個のＯＦＤＭシンボルを含む。データが伝送される単位時間である送信時間間隔（ＴＴＩ）は、１又は複数のサブフレーム単位で決定することができる。上述した無線フレームの構造は例示に過ぎず、無線フレームに含まれるサブフレームの数、サブフレームに含まれるスロットの数、及びスロットに含まれるＯＦＤＭシンボルの数は多様に変更してもよい。
【００２７】
図３は、ＬＴＥシステムで使用されるアップリンクサブフレームの構造を示す図である。
【００２８】
図３を参照すると、ＬＴＥアップリンク送信の基本単位である長さ１ｍｓのサブフレーム３００は、二つの長さ０．５ｍｓのスロット３０１で構成される。一般の循環プレフィクス（ＣＰ）の長さを仮定するとき、各スロットは７個のシンボル３０２で構成され、一つのシンボルは一つの単一搬送波周波数分割多元接続（ＳＣ―ＦＤＭＡ）シンボルに対応する。資源ブロック（ＲＢ）３０３は、周波数領域における１２個の副搬送波、及び時間領域における１スロットに相当する資源割当て単位である。ＬＴＥのアップリンクサブフレームの構造は、大きくデータ領域３０４と制御領域３０５とに区分される。ここで、データ領域は、各端末に送信される音声、パケットなどのデータを送信するときに使用される一連の通信資源を意味し、サブフレーム内の制御領域を除いた残りの資源に相当する。制御領域は、各端末からのダウンリンクチャネル品質報告、ダウンリンク信号に対する受信肯定応答及び否定応答（ＡＣＫ／ＮＡＣＫ）、アップリンクスケジューリング要求などを送信するときに使用される一連の通信資源を意味する。
【００２９】
図４は、アップリンクで送信されるデータと制御情報との多重化処理を説明するための図である。
【００３０】
図４に示すように、制御情報とデータを多重化する際に、アップリンクで送信する伝送ブロック（ｔｒａｎｓｐｏｒｔ  ｂｌｏｃｋ：ＴＢ）にＴＢ用巡回冗長検査ビット（ＣＲＣ）が付加された後（Ｓ４０１）、伝送ブロックは、そのサイズによって多数の符号ブロック（ＣＢ）に分けられ（Ｓ４０２）、多数のＣＢにはＣＢ用ＣＲＣが付加される（Ｓ４０３）。そして、この結果値によってチャネル符号化が行われる（Ｓ４０４）。さらに、チャネル符号化された各データがレートマッチング（Ｓ４０５）を経た後、再び各ＣＢ間の結合が行われ（Ｓ４０６）、このように結合された各ＣＢは、後で制御信号と多重化される（Ｓ４０７）。
【００３１】
一方、チャネル品質情報（ＣＱＩ）／プリコーディング行列インデクス（ＰＭＩ）にＣＲＣが付加された（Ｓ４０８）後、データとは別にチャネル符号化が行われる（Ｓ４０９）。チャネル符号化されたＣＱＩ／ＰＭＩは、レートマッチング（Ｓ４１０）を経た後、データと多重化される（Ｓ４０７）。
【００３２】
また、ランク指示子（ＲＩ）にも、データとは別にチャネル符号化が行われる（Ｓ４１１）。チャネル符号化されたランク情報は、レートマッチング処理（Ｓ４１２）を経た後、データと多重化される（Ｓ４０７）。
【００３３】
多重化されたデータ、ＣＱＩ／ＰＭＩ及びＲＩには、チャネルインタリーブが行われる（Ｓ４１３）。
【００３４】
ＡＣＫ／ＮＡＣＫ情報の場合、データ、ＣＱＩ／ＰＭＩ及びＲＩとは別にチャネル符号化が行われ（Ｓ４１４）、ＡＣＫ／ＮＡＣＫ情報は、パンクチャなどの処理を通して上記のインタリーブされた信号の一部に挿入され、ＡＣＫ／ＮＡＣＫ情報が挿入されたインタリーブされた各信号は、物理資源にマッピングされた後（Ｓ４１５）、アップリンク送信のための信号処理が行われる。
【００３５】
一方、移動体通信システムにおいては、高信頼送信のために、送信器がチャネル符号化を行う。この場合、受信器では、チャネルで発生した信号の誤りを訂正するために、送信器から送信する情報を、前方誤り訂正符号（ｆｏｒｗａｒｄ  ｅｒｒｏｒ  ｃｏｒｒｅｃｔｉｏｎ  ｃｏｄｅ）を使用して符号化した後、符号化された情報を送信する。受信器は、受信信号を復調し、誤り訂正符号の復号処理を行って、送信された情報を復元する。受信器は、このような復号処理において、チャネルで発生した受信信号の誤りを訂正する。
【００３６】
誤り訂正符号としては、多様な種類が利用可能であるが、本発明では、ターボ符号を例に挙げて説明する。ターボ符号化器は、再帰的組織畳込み（ＲＳＣ）符号化器及びインタリーバで構成される。ターボ符号化器の性能は、入力されるデータブロックサイズが増加するほど良いことが知られているが、実際の無線通信システムでは、具現の便利さのために、所定のサイズ以上のデータブロックをいくつかの小さいデータブロックに分けて符号化を行う。分けられた小さいデータブロックを符号ブロックと称する。符号ブロックは、一般に同一のサイズであるが、インタリーバのサイズの制限のため、多数の符号ブロックのうち一つの符号ブロックは異なるサイズであってもよい。一つのデータブロックが二つ以上の符号ブロックに分けられるとき、それぞれの符号ブロックには誤り検出のためにＣＲＣを付加してもよい。
【００３７】
ＲＳＣ符号化器は、所定のインタリーバサイズ、すなわち、符号ブロック単位で誤り訂正符号化処理を行い、その後、インタリーバは、無線チャネルを介して信号を送信するときに発生するバースト誤りの影響を減少させるためにインタリーブを行う。そして、信号は、無線資源にマッピングされた状態で送信される。
【００３８】
実際の送信に使用される無線資源の量は一定であるので、これに合わせるためには、符号化された符号ブロックに対してレートマッチングを行わなければならない。一般に、レートマッチングは、パンクチャ又は反復（ｒｅｐｅｔｉｔｉｏｎ）を含む。レートマッチングは、符号化された符号ブロック単位で行うこともできる。他の方法として、符号化された符号ブロックを情報部分とパリティ部分とに分離し、分離された部分に対してレートマッチングを別途行うこともできる。図５は、符号化された符号ブロックの情報部分とパリティ部分とを分離してレートマッチングを行う方法を示すフローチャートである。図５において、符号化率は１／３であると仮定した。
【００３９】
図６は、一般的な無線通信システムにおいて、端末がアップリンク信号を送信するための信号処理手続を説明するための図である。
【００４０】
アップリンク信号を送信するために、端末のスクランブルモジュール６０１は、端末特定スクランブル信号を用いて送信信号をスクランブルすることができる。このようにスクランブルされた信号は、変調マッパ６０２に入力され、送信信号の種類及び／又はチャネル状態に応じて、二位相偏移変調（ＢＰＳＫ）方式、四位相偏移変調（ＱＰＳＫ）方式又は１６直交振幅変調（ＱＡＭ）方式を用いて複素シンボルに変調される。その後、変調された複素シンボルは、離散フーリエ変換（ＤＦＴ）拡散に対応する変換プリコーダ６０３によって拡散された後、資源要素マッパ６０４に入力され、資源要素マッパ６０４は、複素シンボルを実際の送信に用いられる時間―周波数資源要素にマッピングすることができる。このように処理された信号は、ＳＣ―ＦＤＭＡ信号生成器６０５に入力され、アンテナを介して基地局に送信される。
【００４１】
図７は、多重アンテナ無線通信システムにおいてデータをアップリンク信号として送信するための符号語、レイヤ及びアンテナのマッピング関係を説明するための図である。
【００４２】
図７を参照すると、データ情報と伝送シンボルとの間には複雑なマッピング関係が存在する。媒体接続制御（ＭＡＣ）階層は、物理階層にＮC個の伝送ブロックをデータ情報として送信し、物理階層において、伝送ブロックは、チャネル符号化処理を経て符号語に変換され、パンクチャ又は反復処理のようなレートマッチングを行う。ここで、チャネル符号化は、ターボ符号化器又はテールビット畳込み符号化器のようなチャネル符号化器で行われる。
【００４３】
チャネル符号化処理及びレートマッチング処理を経た後、ＮC個の符号語はＮL個のレイヤにマッピングされる。ここで、レイヤとは、多重アンテナ技法を使用して送信する別個の情報をそれぞれ称し、レイヤの個数は、別個の情報を送信できる最大の数であるランクよりは大きくならない。これは、数式的に＃ｏｆＬａｙｅｒｓ≦ｒａｎｋ（Ｈ）≦ｍｉｎ（ＮＴ，ＮＲ）によって表現することができる。ここで、Ｈはチャネル行列を意味し、ＮTは送信アンテナの個数を意味し、ＮRは受信アンテナの個数を意味する。
【００４４】
一般的なダウンリンク送信方式である直交周波数分割多元接続（ＯＦＤＭＡ）送信方式とは異なって、ＳＣ―ＦＤＭＡ方式を用いて伝送されるアップリンク信号に対しては、逆高速フーリエ変換（ＩＦＦＴ）処理の影響を部分的に相殺することによって、送信信号が単一搬送波特性を有するように、レイヤごとにＤＦＴ処理が行われる。各レイヤにおいてＤＦＴ変換された信号は、プリコーディング行列が乗算されることによってＮT個の送信アンテナにマッピングされ、ＩＦＦＴ処理を経て基地局に送信される。
【００４５】
図８は、符号語をレイヤにマッピングする多様な方法を説明する図である。
【００４６】
図８を参照すると、符号語をレイヤにマッピングするための多様な方法がある。ＭＩＭＯ送信が行われるとき、送信器は、レイヤによって符号語の個数を決定しなければならない。符号語及びレイヤの個数は、種々のデータシーケンスの個数及びチャネルのランクをそれぞれ参照して決定される。送信器は、符号語をレイヤに適宜マッピングする必要がある。
【００４７】
本発明では、ＭＩＭＯシステムにおいてアップリンク信号を効果的に送信する方法を提案する。特に、本発明は、ＭＩＭＯシステムにおいてアップリンク信号がＳＣ―ＦＤＭＡ方式を用いて送信されると仮定する。
【００４８】
参考として、以下の図９〜図１４において、ｘ軸の「データサンプルインデクス」は、ＳＣ―ＦＤＭＡシステムにおいてＤＦＴに入力される各データサンプル（変調値）の順序を示すインデクスであり、ｙ軸は、ＳＣ―ＦＤＭＡシンボルの順序を示すインデクスである。各レイヤの左側から右側にサンプルインデクスが増加すると仮定し、上端から下端にＳＣ―ＦＤＭＡシンボルインデクスが増加すると仮定する。また、格子内の数字は、符号化された符号ブロックのビットベクトル順序又は対応する変調値の順序を示す。
【００４９】
以下では、本発明の多重アンテナ無線通信システムにおいてアップリンク信号を送信するための資源を割り当てる方法を、送信アンテナが２個である場合と４個である場合とに分けて説明する。以下で説明する資源割当て方法は例示に過ぎず、他の実施例も可能である。
【００５０】
＜送信アンテナが２個である場合＞
【００５１】
図９は、送信アンテナが２個であり、単一符号語方式が用いられる場合の、本発明の実施例に係るアップリンク信号のための資源割当て方法の例示図である。特に、図９は、一つの伝送ブロックが３個の符号ブロックに分けられ、符号ブロック単位で符号化された後、ランク２で送信される場合を示す。
【００５２】
まず、図９の（ａ）は、符号化された符号ブロックを、空間領域の資源及び周波数領域の資源を用いて送信した後、時間領域の資源を用いる方式である。図９の（ａ）を参照すると、一つの周波数領域の資源において空間領域のすべての資源が用いられた後、次の周波数領域の資源を用いる方式であることが分かる。このような方式を用いる場合、符号ブロックは時間領域において区別される。
【００５３】
図９の（ｂ）は、まず、一つの空間領域の資源において時間領域の資源を用いた後、周波数領域の資源を用いる方式を示す。一つの符号ブロックを送信した後に残る空間領域は、次の符号ブロックの送信に使用される。さらに、一つの空間領域の資源をすべて用いた後、次の空間領域の資源を用いる。符号ブロックは、一つの空間領域内で周波数を用いて区分される。符号ブロックの個数が偶数である場合は、一つの符号ブロックが二つの空間領域の資源を用いないが、符号ブロックの個数が奇数である場合は、少なくとも一つの符号ブロックは二つの空間領域の資源を用いる。
【００５４】
図９の（ｃ）は、まず、一つの符号ブロックが一つの空間領域の時間領域の資源を用い、次の空間領域の時間領域資源を用いた後、周波数領域の資源を用いる方式である。また、図９の（ｄ）は、一つの符号ブロックが空間領域の資源、時間領域の資源を順次用いた後、周波数領域の資源を用いる方式である。図９の（ｃ）及び（ｄ）において、符号ブロックは一つの空間領域内で周波数を用いて区分される。
【００５５】
図１０は、送信アンテナが２個であり、多重符号語方式が用いられる場合の、本発明の実施例に係るアップリンク信号のための資源割当て方法の例示図である。特に、図１０は、二つの伝送ブロックがそれぞれ３個及び２個の符号ブロックに分けられ、符号ブロック単位で符号化された後、ランク２で送信される場合を示す。すなわち、図１０で、ＣＢ１、ＣＢ２、ＣＢ３は、一つの伝送ブロックから分割された符号ブロックであり、ＣＢ４、ＣＢ５は、他の一つの伝送ブロックから分割された符号ブロックである。
【００５６】
まず、図１０の（ａ）は、伝送ブロックを空間領域の資源を用いて送信し、それぞれの伝送ブロックから分割された符号ブロックを周波数領域の資源を用いて送信した後、時間領域の資源を用いて送信する方式である。すなわち、伝送ブロックは、別個の空間資源を用いて送信され、一つの時間領域の資源に含まれた周波数領域の資源をすべて用いた後、次の時間領域の資源を用いる方式である。図１０の（ａ）の方式による場合、それぞれの伝送ブロックは空間領域において区分され、それぞれの伝送ブロックに相当する符号ブロックは時間領域において区分される。
【００５７】
図１０の（ｂ）は、伝送ブロックを空間領域の資源を用いて送信し、それぞれの伝送ブロックから分割された符号ブロックを時間領域の資源を用いて送信した後、周波数領域の資源を用いて送信する方式である。図１０の（ｂ）の方式による場合、それぞれの伝送ブロックは空間領域において区分され、それぞれの伝送ブロックに相当する符号ブロックは周波数領域において区分される。
【００５８】
図１１は、送信アンテナが２個であり、多重符号語方式が用いられる場合の、本発明の実施例に係るアップリンク信号のための資源割当て方法の他の例示図である。特に、図１１は、二つの伝送ブロックがそれぞれ２個の符号ブロックに分けられ、符号ブロック単位で符号化された後、ランク２で送信される場合を示す。すなわち、図１１で、ＣＢ１、ＣＢ２は、一つの伝送ブロックから分割された符号ブロックであり、ＣＢ３、ＣＢ４は、他の一つの伝送ブロックから分割された符号ブロックである。
【００５９】
特に、図１１は、時間領域の資源及び周波数領域の資源を順次割り当て、時間領域の資源のインデクスが増加するに従って、空間領域の資源が遷移される場合を示す。ただし、図１１の（ｂ）は、時間領域の資源が２ＳＣ―ＦＤＭＡシンボル単位で割り当てられる場合を示す。
【００６０】
図１１を参照すると、各符号ブロックが空間領域に均一に配置されることによって、ダイバーシチ利得を得ることができる。また、一つのシンボルの観点で見ると、一つのレイヤには一つの伝送ブロックから分割された符号ブロックだけが存在するので、他のレイヤを通して受信された信号を除去するための干渉除去方式を使用して受信性能を向上させることができる。
【００６１】
＜送信アンテナが４個である場合＞
【００６２】
図１２Ａ及び図１２Ｂは、送信アンテナが４個で、単一符号語方式である場合、本発明の実施例に係るアップリンク信号のための資源割当て方法の例示図である。特に、図１２Ａ及び図１２Ｂは、一つの伝送ブロックが３個の符号ブロックに分けられ、符号ブロック単位で符号化された後、ランク４で送信される場合を示す。
【００６３】
まず、図１２Ａの（ａ）は、符号化された各符号ブロックを空間領域の資源及び周波数領域の資源を用いて送信した後、時間領域の資源を用いる方式である。図１２Ａの（ａ）を参照すると、一つの周波数領域の資源において空間領域のすべての資源を用いた後、次の周波数領域の資源が用いられる。このような方式を用いる場合、符号ブロックは時間領域において区別される。
【００６４】
図１２Ａの（ｂ）は、まず、時間領域の資源を用いた後、周波数領域の資源を用いる方式を示す。また、一つの符号ブロックを送信した後で残る空間領域は、次の符号ブロックの送信のために使用される。そして、一つの空間領域の資源をすべて用いた後、次の空間領域の資源を用いる。符号ブロックは空間領域内で周波数を用いて区分される。
【００６５】
図１２Ｂの（ａ）は、一つの符号ブロックが空間領域の資源及び時間領域の資源を順次用いた後、周波数領域の資源を用いる方式である。また、図１２Ｂの（ｂ）は、まず、一つの符号ブロックが一つの空間領域の時間領域の資源を用い、次の空間領域の時間領域の資源を用いた後、周波数領域の資源を用いる方式である。また、図１２Ｂの（ａ）及び（ｂ）において、符号ブロックは一つの空間領域内で周波数を用いて区分される。
【００６６】
以下では、送信アンテナが４個であり、多重符号語方式が用いられる場合に関して説明する。このとき、送信アンテナの個数と伝送ブロックの個数が同一である場合とそうでない場合とに分けて説明する。
【００６７】
図１３は、送信アンテナが４個であり、多重符号語方式が用いられる場合の、本発明の実施例に係るアップリンク信号のための資源割当て方法の例示図である。特に、図１３は、伝送ブロックの個数が送信アンテナの個数と同じ４個である場合を示す。また一つのレイヤで一つの伝送ブロックが送信されるため、一つの伝送ブロックから分割された符号ブロックは別個のレイヤでは送信されない。
【００６８】
図１３では、４個の伝送ブロックがそれぞれ３，２，１，２個の符号ブロックに分割され、ランク４で送信されると仮定する。すなわち、図１３において、ＣＢ１、ＣＢ２及びＣＢ３は第１の伝送ブロックから分割された符号ブロックであり、ＣＢ４及びＣＢ５は第２の伝送ブロックから分割された各符号ブロックであり、ＣＢ６は第３の伝送ブロックから分割された符号ブロックであり、ＣＢ７及びＣＢ８は第４の伝送ブロックから分割された各符号ブロックである。
【００６９】
図１３の（ａ）において、各レイヤで送信される符号ブロックは、周波数領域の資源を用いた後、時間領域の資源を用いて送信される。
【００７０】
また、図１３の（ｂ）で、各レイヤで送信される符号ブロックは、時間領域の資源を用いた後、周波数領域の資源を用いて送信される。
【００７１】
次に、送信アンテナの個数と伝送ブロックの個数とが異なる場合に関して説明する。
【００７２】
送信アンテナの個数と伝送ブロックの個数とが異なる場合、単一符号語方式のように、一つの伝送ブロックから分割された符号ブロックがいくつかのレイヤにマッピングされた状態で送信される。本発明では、最大４個のレイヤに２個の伝送ブロックがマッピングされる場合を検討する。
【００７３】
第一に、一つのレイヤで送信する場合として、伝送ブロックは、図１０の（ａ）又は（ｂ）に示すように、一つのレイヤに相当する資源割当て方法を用いて送信することができる。
【００７４】
第二に、二つのレイヤで送信する場合として、一つの伝送ブロックを送信し、分割された符号ブロックを図９に相当する資源割当て方法で送信したり、２個の伝送ブロックを送信し、それぞれの伝送ブロックから分割された符号ブロックを送信する図１０に相当する資源割当て方法を用いて送信したりすることができる。
【００７５】
第三に、三つのレイヤで送信する場合として、２個の伝送ブロックを送信すると仮定する。一つの伝送ブロックは、上述した一つのレイヤで送信する場合と同様に、図１０の（ａ）又は（ｂ）に示すように、一つのレイヤに相当する資源割当て方法を用いて送信し、残りの一つの伝送ブロックは、図９に示すような資源割当て方法を用いて送信することができる。
【００７６】
第四に、四つのレイヤで送信する場合も、２個の伝送ブロックを送信すると仮定する。それぞれの伝送ブロックから分割された符号ブロックは、図９に示すような資源割当て方法を用いて送信することができる。
【００７７】
図１４は、２個の伝送ブロックがそれぞれ３個の符号ブロックに分割されて符号化された後、ランク４で送信される場合、本発明の実施例に係る資源割当て方法の例示図である。特に、図１４において、ＣＢ１、ＣＢ、ＣＢ３は、伝送ブロック１から分割された符号ブロックを示し、ＣＢ４、ＣＢ５、ＣＢ６は、伝送ブロック２から分割された符号ブロックを示す。
【００７８】
まず、図１４の（ａ）は、空間領域の資源をシンボル単位で交互に使用する方式を示し、一つの伝送ブロックがＮ個のレイヤで伝送される場合、次の伝送シンボルでは、上記一つの伝送ブロックが割り当てられた空間領域の資源がＮ個のレイヤ単位で遷移されて伝送される。すなわち、図１４の（ａ）の１番目のシンボルでは、一つの伝送ブロックから分割されたＣＢ１、ＣＢ２及びＣＢ３がレイヤ１及びレイヤ２で送信されるが、２番目のシンボルでは、遷移され、レイヤ３及びレイヤ４を用いて送信される。
【００７９】
図１４の（ｂ）は、空間領域の資源をシンボル単位で交互に使用する方式を示し、一つの伝送ブロックがＮ個のレイヤで送信されるが、空間領域の資源を１レイヤ単位で交互に使用する。図１４の（ｂ）から分かるように、１番目のシンボルでは、一つの伝送ブロックから分割されたＣＢ１、ＣＢ２及びＣＢ３がレイヤ１及びレイヤ２で送信されるが、２番目のシンボルでは、遷移され、レイヤ２及びレイヤ３を用いて送信される。この場合、符号ブロックを空間領域全体に均一に配置することによって、ダイバーシチ利得を得ることができる。
【００８０】
図１５は、２個の伝送ブロックがそれぞれ３個の符号ブロックに分割されて符号化された後、ランク４で送信される場合の資源割当て方法の他の例示図である。
【００８１】
図１５の（ａ）は、空間領域の資源をシンボル単位で交互に使用する方式を示し、一つの伝送ブロックが、伝送時に空間領域の資源を２レイヤ単位で遷移して使用する場合を示す。また、図１５の（ｂ）は、一つの伝送ブロックが、伝送時に空間領域の資源を１レイヤ単位で遷移して使用する場合を示す。
【００８２】
図１４及び図１５に例示した資源割当て方法による場合、一つの伝送シンボルの観点で、一つのレイヤには一つの伝送ブロックから分割された符号ブロックだけが存在するため、他のレイヤを通して受信された信号を除去するための干渉除去方式を使用して受信性能を向上させることができる。
【００８３】
上述したように、レイヤ単位の遷移は、アップリンク信号を送信するにおいて、ＤＦＴを行う前に行ってもよいし，ＩＦＦＴを行った後で行ってもよい。ＤＦＴを行う前にレイヤ単位の遷移が行われることがより望ましい。
【００８４】
以上、本発明の実施例に係る多重アンテナシステムにおいてアップリンク信号を送信するための資源割当て方法を説明した。現在のＬＴＥ標準文書には、アップリンク信号の資源割当て方法は、ダウンリンク信号の資源割当て方法の延長線上に記述されている。すなわち、アップリンク信号を送信する場合、時間領域の資源を優先的に使用して信号を伝送することが望ましいが、周波数領域の資源を優先的に使用して信号を送信する方法が記述されている。これは、次のとおり説明される。
【００８５】
スケジューリングされた資源で送信できる変調シンボルの数をＨとすると、上記スケジューリングされた資源を通して送信できるビット数Ｄは、H・ｌｏｇ２Qになる。ここで、Ｑは変調次数を意味する。例えば、ＢＳＰＫの場合はＱが２であり、ＱＰＳＫである場合はＱが４であり、１６ＱＡＭである場合はＱが１６である。変調シンボルは、実際の送信単位（例えば、資源要素（ＲＥ））にマッピングするために、チャネルインタリーバを通過する。
【００８６】
チャネルインタリーバの列の個数を、特定時間送信単位に含まれるデータを伝送するためのシンボルの個数（Ｎsymb）と仮定する。例えば、１ｍｓの伝送単位に１４個のシンボルがあり、２シンボルをチャネル推定のために参照シンボルとして使用する場合、チャネルインタリーバの列の個数（Ｃ）は、参照シンボルの個数を除いたデータシンボルの個数である１２個になる。
【００８７】
また、チャネルインタリーバは、変調シンボル単位でインタリーブを行うため、Ｑ変調次数を使用するとき、下記の数式１のようにｌｏｇ２Q個のビット単位で処理する。
【００８８】
（式１）
【数１】
0005255128.tif 000002
【００８９】
数式２において、ｑｊは符号化されたビットである。
【００９０】
このとき、チャネルインタリーバの行の個数（Ｒ）は、
【数２】
0005255128.tif 000003
になる。このとき、
【数３】
0005255128.tif 000004
とすると、チャネルインタリーバは、下記の数式２のように表現することができる。
【００９１】
（式２）
【数４】
0005255128.tif 000005
【００９２】
ここで、ｇｋは、一つの変調シンボルをなす符号化されたビット列を示すベクトルである。数式２によって、チャネルインタリーバの入力データは、行ごとに書き込まれた後、列ごとに読み出される。
【００９３】
すなわち、入力データｙｋに対して
【数５】
0005255128.tif 000006
が得られ、出力はｙ０，ｙｃ，・・・，ｙ（Ｒ’−１）・Ｃ，ｙ１，・・・，ｙＲ’Ｃ−２，ｙＲ’・Ｃ−１となる。
【００９４】
このようなチャネルインタリーバを通過した後、シンボルを時間及び周波数領域の資源にマッピングするとき、周波数領域の資源から順にマッピングすると、符号化されたビット列の観点では、時間領域の資源からマッピングされる効果が発生する。チャネルインタリーバの全体のサイズは変調シンボルの個数であり、時間及び周波数領域の資源の積に相当し、行方向が時間方向を示し、一つの行は一つのシンボルの周波数領域の資源の個数を示すため、時間領域の資源からマッピングされる効果が得られるように、読み出しは列ごとに行われる。
【００９５】
しかし、複数の送受信アンテナを使用する多重アンテナシステムにおいて、複数の空間階層を用いて同時に複数のデータが送信されるとき、効率的な資源マッピングのためにチャネルインタリーバは新しく設計することが望ましい。
【００９６】
一つの符号語又は伝送ブロックが符号化されて同時に送信されるデータストリームの数をＬと仮定する。これは、単一符号語方式の一つの伝送符号化チェーン（ｃｏｄｉｎｇ  ｃｈａｉｎ）、又は多重符号語方式のいくつかの符号化チェーンに相当する。この場合、図１６のように符号化されたビット列を、時間及び周波数領域の資源だけでなく、空間領域の資源にマッピングする必要がある。
【００９７】
図１６は、複数の送受信アンテナを使用するシステムのデータ処理の概念図である。図１６において、空間的配置（ｓｐａｔｉａｌ  ｄｉｓｔｒｉｂｕｔｉｏｎ）処理は、変調されたデータシンボルを空間領域の資源に配置する役割をする。
【００９８】
図１７は、本発明の実施例によって多重アンテナシステムにおいてアップリンクでデータストリームを送信するための空間的配置を具現した例示図である。特に、図１７は、一つの伝送ブロックが二つのレイヤを用いて送信される空間的配置の一実施例を示した図である。図１７を参照すると、まず、一つの周波数領域の資源において空間領域の領域に伝送シンボルをマッピングした後、時間領域の資源を用いる。その後、次の周波数領域の資源に対して同一の方法でマッピングする。
【００９９】
本発明は、一つの伝送ブロックのデータストリームがいくつかのレイヤを用いて送信される場合、周波数領域の資源を充填した後、時間軸内の次の周波数領域の資源を充填するマッピング方法を使用するとき、図１７に例示したように、符号ブロックをいくつかのレイヤに、時間軸内で一度に一つのシンボルずつマッピングした後、時間軸内の次の周波数領域の資源を充填するチャネルインタリーバの構造を提案する。すなわち、空間領域の資源、時間領域の資源及び周波数領域の資源の順でマッピングが行われる、チャネルインタリーバの構造を提案する。
【０１００】
まず、入力されるビット列ベクトルのサイズを調整する方法を検討する。
【０１０１】
一つの伝送ブロックの送信に使用されるレイヤの個数がＬ個に増加する場合、変調シンボルをマッピングすることができる資源の数はＬ倍に増加する。これによって、一つのレイヤで送信可能な変調シンボルの数をＨとすると、Ｌ個のレイヤで送信可能なシンボルの数はＨ・Ｌになる。各レイヤごとに独立の変調次数（ｌ＝１，…，Ｌ）が適用される場合、スケジューリングされた資源を用いて一つの伝送ブロックを送信するために用いられるビット数Ｄは
【数６】
0005255128.tif 000007
になる。したがって、チャネルインタリーバに入力されるビット列の長さが増加するため、入力データのベクトルサイズを
【数７】
0005255128.tif 000008
に増加させると、一つのレイヤを通して送信する場合のチャネルインタリーバに比べて、構成を大きく変化させないで、資源を効率的にマッピングすることができる。
【０１０２】
インタリーバの列の数ＣはＮsymbに固定され、行の数は
【数８】
0005255128.tif 000009
になる。このとき、
【数９】
0005255128.tif 000010
とすると、数式２のチャネルインタリーバに入力されるビット列ベクトルは、下記の数式３のように拡張することができ、数式２のチャネルインタリーバの構造をそのまま多重アンテナシステムに適用することができる。
【０１０３】
（式３）
【数１０】
0005255128.tif 000011
【０１０４】
数式３において、ｑｌｋは、ｌ番目のレイヤで送信される符号化されたビットを表す。すなわち、入力データｙｋに関してｇｋ＝ｙｋが得られ、出力はｙ０，ｙｃ，・・・，ｙ（Ｒ’−１）・Ｃ，ｙ１，・・・，ｙＲ’Ｃ−２，ｙＲ’・Ｃ−１のようになる。ビットベクトルｇｋは、それぞれｌｏｇ２Ｑｌ（ｌ＝１，・・・，Ｌ）個のビットからなるＬ個の変調シンボルになる。
【０１０５】
すなわち、入力ビット列ベクトルのサイズを調整することによって、たとえ従来のチャネルインタリーバを使用しても、図１７のようなマッピングを具現することができる。
【０１０６】
他の実施例として、すべてのレイヤに適用される変調次数がＱに等しい場合は、入力ベクトルが下記の数式４のようになる。
【０１０７】
（式４）
【数１１】
0005255128.tif 000012
【０１０８】
すべてのレイヤで同一の変調次数を使用するとき、すなわち、Ｑ１＝Ｑ２＝・・・＝Ｑｌ＝Ｑであるとき、行の個数Ｒは
【数１２】
0005255128.tif 000013
であり、Ｒ’は
【数１３】
0005255128.tif 000014
である。
【０１０９】
次に、チャネルインタリーバのビットベクトルの数を調整する方法を検討する。
【０１１０】
一つの伝送ブロックを送信するために使用されるレイヤの個数がＬであり、チャネルインタリーバの列の個数がＮsymbであり、レイヤにＱｌ（ｌ＝１，・・・，Ｌ）の変調次数が適用されると仮定すると、行の個数Ｒは
【数１４】
0005255128.tif 000015
になる。
【０１１１】
このとき、
【数１５】
0005255128.tif 000016
と定義すると、チャネルインタリーバは、次の数式５のように表現することができる。
【０１１２】
（式５）
【数１６】
0005255128.tif 000017
【０１１３】
数式５において、ｇｋは、一つの変調シンボルを構成するビット列を示すベクトルである。下記の数式６がｌ番目のレイヤで送信されるビット列ベクトルである場合、チャネルインタリーバの入力はｇｌｋ＝ｙｌｋであり、出力は列ごと行われる。
【０１１４】
（式６）
【数１７】
0005255128.tif 000018
【０１１５】
このとき、チャネルインタリーバの出力は、ｙ１０，ｙ２０，・・・，ｙＬ０，ｙ１Ｃ，ｙ２Ｃ，・・・，ｙＬＣ，・・・，ｙ１Ｒ’Ｃ−１，ｙ２Ｒ’Ｃ−１，・・・，ｙＬＲ’Ｃ−１のようになる。すなわち、チャネルインタリーバのビットベクトルの数を調整することによって、図１７のようなマッピングを具現することができる。
【０１１６】
一方、すべてのレイヤで同一の変調次数を使用するとき、すなわち、Ｑ１＝Ｑ２＝・・・＝Ｑｌ＝Ｑであるとき、
【数１８】
0005255128.tif 000019
【数１９】
0005255128.tif 000020
が得られる。
【０１１７】
以上の内容は、ＨＡＲＱ関連情報、ＣＱＩ／ＰＭＩ／ＲＩのような制御情報が共に送信されないマッピング方法に関するものである。ＨＡＲＱ情報、ＣＱＩ／ＰＭＩ／ＲＩ情報と共にユーザデータを送信する場合は、次の規則に従ってマッピングする。ＣＱＩ／ＰＭＩは、ユーザデータと同一の変調方式を使用すると仮定する。まず、ＲＩ情報をチャネルインタリーバの特定位置にマッピングした後、ユーザデータをＲＩ情報がマッピングされていないチャネルインタリーバの残りの位置にマッピングする。最後に、ＨＡＲＱ関連情報を特定位置にマッピングする。このとき、ＨＡＲＱ関連情報に予めマッピングされていたデータはパンクチャされる。ＲＩ情報及びＨＡＲＱ関連情報がマッピングされる位置は、互いに重ならない。
【０１１８】
図１８は、本発明の一実施例に係る端末装置の構成図を例示する。
【０１１９】
図１８を参照すると、端末装置１８００は、プロセッサ１８１０、メモリ１８２０、ＲＦモジュール１８３０、ディスプレイモジュール１８４０及びユーザインターフェースモジュール１８５０を含む。
【０１２０】
端末装置１８００は、説明の便宜のために図示されたもので、一部のモジュールは省略可能である。また、端末装置１８００は、必要なモジュールを更に含んでもよい。また、端末装置１８００において、一部のモジュールは、より細分化されたモジュールに区分してもよい。プロセッサ１８１０は、図面を参照して例示した本発明の実施例に係る動作を行うように構成される。
【０１２１】
具体的には、プロセッサ１８１０は、制御信号及びデータ信号を多重化するために必要な動作を行うことができる。プロセッサ１８１０の詳細な動作は、図１〜図１７を参照して記載したとおりである。
【０１２２】
メモリ１８２０は、プロセッサ１８１０に接続され、オペレーティングシステム、アプリケーション、プログラムコード、データなどを記憶する。ＲＦモジュール１８３０は、プロセッサ１８１０に接続され、基底帯域信号を無線信号に変換したり、無線信号を基底帯域信号に変換したりする機能を行う。ＲＦモジュール１８３０は、アナログ変換、増幅、フィルタリング及び周波数上方変換又はこれらの逆処理を行う。ディスプレイモジュール１８４０は、プロセッサ１８１０に接続され、多様な情報を表示する。ディスプレイモジュール１８４０は、これに制限されるものではなく、液晶（ＬＣＤ）、発光ダイオード（ＬＥＤ）、有機発光ダイオード（ＯＬＥＤ）のようなよく知られた要素を使用してもよい。ユーザインターフェースモジュール１８５０は、プロセッサ１８１０と接続され、キーパッド、タッチスクリーンなどのようなよく知られたユーザインターフェースの組み合わせで構成することができる。
【０１２３】
以上説明した各実施例は、本発明の各構成要素と特徴が所定形態に結合されたものである。各構成要素又は特徴は、別途の明示的な言及がない限り、選択的なものとして考慮されなければならない。各構成要素又は特徴は、他の構成要素や特徴と結合されない形態で実施され得る。また、一部の構成要素及び／又は特徴を結合して本発明の実施例を構成することも可能である。本発明の各実施例で説明する各動作の順序は変更可能である。一つの実施例の一部の構成や特徴は、他の実施例に含めてもよいし、他の実施例の対応する構成又は特徴に置き換えてもよい。特許請求の範囲で明示的な引用関係のない各請求項を結合して実施例を構成したり、出願後の補正によって新しい請求項を含ませることができることは自明である。
【０１２４】
本明細書において、本発明の各実施例は、主に端末と基地局との間のデータ送受信関係を中心に説明した。本明細書において基地局によって行われると説明した特定動作は、場合によってはその上位ノードによって行うことができる。すなわち、基地局を含む複数のネットワークノードからなるネットワークにおいて、端末との通信のために行われる多様な動作は、基地局又は基地局以外の他のネットワークノードによって行えることは自明である。基地局は、固定局、ノードＢ、強化ノードＢ（ｅＮＢ）、アクセスポイントなどの用語に置き換えてもよい。また、端末は、ユーザ装置（ＵＥ）、移動機（ＭＳ）、移動体加入者局（ＭＳＳ）などの用語に置き換えてもよい。
【０１２５】
本発明に係る実施例は、多様な手段、例えば、ハードウェア、ファームウェア、ソフトウェア又はそれらの結合などによって具現することができる。ハードウェアによる具現の場合、本発明の一実施例は、１又は複数の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現することができる。
【０１２６】
ファームウェアやソフトウェアによる具現の場合、本発明の一実施例は、以上説明した機能又は各動作を行うモジュール、手順又は関数などの形態で具現することができる。ソフトウェアコードは、メモリユニットに記憶されてプロセッサによって駆動され得る。上記メモリユニットは、上記プロセッサの内部又は外部に位置し、既に公知の多様な手段によって上記プロセッサとデータを取り交わすことができる。
【０１２７】
本発明がその特徴を逸脱しない範囲で他の特定の形態に具体化され得ることは、当業者にとって自明である。したがって、上記の詳細な説明は、すべての面で制限的に解釈されてはならなく、例示的なものとして考慮されなければならない。本発明の範囲は、添付の請求項の合理的な解釈によって決定されなければならず、本発明の均等な範囲内でのすべての変更は本発明の範囲に含まれる。
【産業上の利用可能性】
【０１２８】
上述したような多重アンテナ無線通信システムにおいて、アップリンク信号を送信するための資源を割り当てる方法及びその装置は、３ＧＰＰ  ＬＴＥシステムに適用される例を中心に説明したが、３ＧＰＰ  ＬＴＥシステムの他にも、類似するＤＦＴ処理を適用し、アップリンク信号を送信する多様な多重アンテナ無線通信システムに適用可能である。
【図１】
0005255128.tif 000029
【図２】
0005255128.tif 000030
【図３】
0005255128.tif 000031
【図４】
0005255128.tif 000032
【図５】
0005255128.tif 000033
【図６】
0005255128.tif 000034
【図７】
0005255128.tif 000035
【図８】
0005255128.tif 000036
【図９】
0005255128.tif 000037
【図１０】
0005255128.tif 000038
【図１１】
0005255128.tif 000039
【図１２Ａ】
0005255128.tif 000040
【図１２Ｂ】
0005255128.tif 000041
【図１３】
0005255128.tif 000042
【図１４】
0005255128.tif 000043
【図１５】
0005255128.tif 000044
【図１６】
0005255128.tif 000045
【図１７】
0005255128.tif 000046
【図１８】
0005255128.tif 000047